(57)【特許請求の範囲】
【請求項１】
外周面に捕獲膜を設けた回転体を水路内に配設し、この回転体の内側に流入する水を捕獲膜を通過させて、水中に浮遊する滓を捕獲する回転式除滓機における上記回転体の外周部の両側と水路側壁の間から流出する滓を抑制するシール装置において、前記回転体の外周部両側面と水路側壁側との対向部分のいずれか一方に、上記回転体の回転軸と同方向であって、かつ半径方向に互いに間隙を有するように突設された内側、および外側ガイドプレートを設け、これら内側、および外側ガイドプレート相互間に突出する柔軟性を有するシールプレートを前記回転体の外周部両側面と水路側壁側との対向部分のいずれか他方に設け、水流による上記シールプレートのたわみ変形によって内側、および外側ガイドプレートとの隙間を変え、滓流出を抑制するようにしたことを特徴とする回転式除滓機におけるシール装置。
【発明の詳細な説明】
【０００１】
【発明の属する技術分野】
本発明は河川，海等の取水口に使用される回転式除滓機におけるシール装置に関する。
【０００２】
【従来の技術】
河川，あるいは海等の取水口には、水中に浮遊する滓（ゴミ，破片，小生物，生物の死がい等）を捕獲する円筒状（太鼓型）の回転式除滓機が設置されている。このような回転式除滓機は、上流から下流に流れる水路の途中に設置されて、水中に浮遊する滓を除去している。
【０００３】
図６ないし図８は、水路に設置された回転式除滓機を示したものである。
回転式除滓機は、水路１内に設けられたコンクリート基礎２上に水に浸かるようにして取付けられている。この回転式除滓機は、コンクリート基礎２上に取付けられた軸受３を介して支持されたメインシャフト４と、このメインシャフト４に支持された放射状の複数（図示例では８本）のスポーク５と、これらスポーク５に支持されるとともに外周面側にスクリーンメッシュ６を配設した複数のスクリーンフレーム７と、スクリーンフレーム７の外周に設けられたラック歯車８と、ラック歯車８を介してスクリーンフレーム７を回転させる駆動装置９と、スクリーンフレーム７の外周部両側面７ａと水路１の側壁１ａの間から流出する滓を抑制するシール装置１０とから構成されている。シール装置１０は、スクリーンフレーム７の外周部両側面７ａに対向するコンクリート基礎２の側面に、図６のＰ点からＰ′点の位置にかけて設けられている。
【０００４】
上流から回転式除滓機へ流入する滓を含んだ水は、スクリーンフレーム７の外周面に取付けられたスクリーンメッシュ６によって滓を捕獲されてから、スクリーンメッシュ６を通過し下流へ流れでる。
スクリーンメッシュ６に滓が貯まると、駆動装置９を駆動して、駆動装置９の駆動歯車（図示せず）に噛合するラック歯車８を介して、スクリーンフレーム７を回転させる。そして、複数のスクリーンフレーム７によって環状に構成される回転体Ｘを回転させながら、地上に設置された洗浄装置１１でスクリーンメッシュ６に貯った滓を洗い流す。こうして、スクリーンフレーム７によって構成される回転体Ｘは再び水中で回転しながら浸水し、滓を捕獲する動作をくり返す。
この一連の動作の中で、回転体Ｘの外周部の両側面７ａと水路１の側壁（コンクリート基礎２の側面）１ａとの間から流出する滓は、シール装置により通過するサイズ，量を抑制する。
【０００５】
図９は従来の回転式除滓機に用いられるシール装置を示したものである。
シール装置はスクリーンフレーム７にボルト１２およびナット１２ａを介して取付けられた取付金具１３と、取付金具１３に水平方向に支持されたシールプレート１４と、シールプレート１４とともにボルト１５およびナット１５ａを介して取付金具１３に共締めされるシール押え板１６と、側壁１ａに取付けられたサポート１７と、サポート１７にボルト１８およびナット１８ａを介して垂直面１９を維持するように支持されるＬ字型のガイド２０とから構成される。シール装置から、所定のサイズ以上の滓を流出させないために複数から成るガイド２０の調整で、寸法Ａを均一にし、複数からなるシールプレート１４の突出幅の調整で垂直面１９との寸法Ｓを所定の寸法に調整する。
【０００６】
【発明が解決しようとする課題】
しかし、シールプレート１４とガイド２０の垂直面１９との隙間の寸法Ｓは、複数のスクリーンフレーム７によって構成される回転体が溶接構造物であるために幅の寸法Ｂにバラツキがある。又、水路１の（コンクリート基礎２の側面）側壁１ａ間の寸法Ｔも所定の寸法にすることは難しい。そのため複数のシールプレート１４の出し入れと、ガイド２０の垂直面１９との調整で寸法Ｓを所定の寸法で、かつ均一に、容易に調整できる構造にすることが課題である。
【０００７】
そこで、図１０に示すように、前記図９と同様な構造の内、シールプレート１４′の形状をフラットから９０°近くまで曲げた状態でガイド２０の垂直面１９に接触する様に組立てることで、ガイド２０とシールプレート１４′の調整を容易にする構造がある。
しかし、常にシールプレート１４′とガイド２０の垂直面１９とが接触しているため、シールプレート１４′の摩耗が大きい欠点がある。
【０００８】
本発明は、上記課題を解決し、回転体の外周部の両端と水路側壁の間から流出する滓を抑制するシール装置の調整を容易にするとともに、シールプレートの摩耗を防止し得る回転式除滓機におけるシール装置を提供することを目的とする。
【０００９】
【課題を解決するための手段】
本発明は、上記課題を解決するため、外周面にスクリーンメッシュ等の捕獲膜を設けたスクリーンフレームを組み合わせることによって形成された回転体を海岸等の水路内に配設し、この回転体の内側に流入する水を捕獲膜を通過させて、水中に浮遊する滓（ゴミ，破片，小生物，生物の死がい等）を捕獲膜によって捕獲する回転式除滓機における上記回転体の外周部の両側と水路側壁の間から水と一緒に流出する滓を抑制するシール装置であって、前記回転体の外周部両側面と水路側壁側との対向部分のいずれか一方に、上記回転体の回転軸と同方向であって、かつ半径方向に互いに間隙を有するように突設された内側、および外側ガイドプレートを設け、これら内側、および外側ガイドプレート相互間に突出する柔軟性を有するシールプレートを前記回転体の外周部両側面と水路側壁側との対向部分のいずれか他方に設け、水流による上記シールプレートのたわみ変形によって内側、および外側ガイドプレートの一方側に曲げることにより、内側、および外側ガイドプレートとの隙間を変えて間隙を縮小させることにより、滓の流出を抑制するようにしたことにある。
【００１０】
本発明によると、水路内に回転式除滓機を設置して、スクリーンフレームを組み合わせることによって形成された回転体を駆動装置により回転駆動する。回転体は、内側に流入する水をスクリーンメッシュ等の捕獲膜を通過させて、水中に浮遊する滓を捕獲膜によって捕獲する。このとき、回転体の外周部の両端と水路側壁側の間から流出する滓は、水流によるたわみ変形によってシールプレートを内側、および外側ガイドプレートの一方側に曲げることにより、内側、および外側ガイドプレートとの隙間を変えることによって、滓の流出が抑制される。よってシール装置の調整が容易になるとともにシールプレートの摩耗を防止し得る。
【００１１】
【発明の実施の形態】
以下、本発明の実施の形態を、図６ないし図９と同一部分は同符号を付してその説明を省略して示す図面を参照しながら詳細に説明する。
【００１２】
回転式除滓機は、図６ないし図８に示したように、コンクリート基礎２上に取付けられた軸受３を介して支持されたメインシャフト４と、このメインシャフト４に支持された放射状の複数（図示例では８本）のスポーク５と、これらスポーク５に支持されて回転体Ｘを形成するとともに回転体Ｘの外周面側に、捕獲膜としてのスクリーンメッシュ６を配設した複数のスクリーンフレーム７と、スクリーンフレーム７からなる回転体Ｘの外周に設けられたラック歯車８と、メインシャフト１で支持される回転体Ｘをラック歯車８を介して回転させるモーター等の駆動装置９と、スクリーンフレーム７の外周部両側面７ａと水路１の側壁１ａの間から流出する滓を抑制するシール装置１０とから構成されている。
【００１３】
図１および図２は、水路１に設置された回転式除滓機の一部を拡大して示したものである。
回転式除滓機は、水路１内に水の流れを規制するように設けられたコンクリート基礎２上に取付けられている。
このコンクリート基礎２の側面には、穴２ａが設けられて水路１の水の流れをコンクリート基礎２の内側に導くようにしている。コンクリート基礎２の内側には、回転式除滓機の複数のスクリーンフレーム７によって構成された回転体Ｘが配置され、回転体Ｘの内側に海水が導入されるものである。
回転式除滓機は、回転体Ｘを形成するスクリーンフレーム７の外周面側に配設された捕獲膜としてのスクリーンメッシュ６を通過させることによって、スクリーンフレーム７の内側に導入された水中に浮遊する滓（ゴミ，破片，小生物，生物の死がい等）を捕獲する。
【００１４】
この回転式除滓機のスクリーンフレーム７の両側面７ａと水路１の側壁１ａとの間には、この間隙から所定のサイズ以上の滓を流出させないためのシール装置１０が装備されている。
このシール装置１０の構成は、ゴム、樹脂等の柔軟性材料で成形されたシールプレート２１と、このシールプレート２１をスクリーンフレーム７にボルト２２およびナット２２ａで取付ける押え板２３と、コンクリート側壁２にボルト２４で取付けられた内側ガイドプレート２５と、外側ガイドプレート２６とで構成されている。
【００１５】
シールプレート２１は、スクリーンフレーム７の外周部両側面７ａにそれぞれ外側に向けて略水平方向に取り付けられており、このシールプレート２１は、スクリーンフレーム７の外周部両側面７ａにボルト２７およびナット２７ａを介して取り付けられたコ字形の取付金具２８に押え板２３とともに共締めされている。
シールプレート２１は、図３（ａ），（ｂ）に示すように、ゴム、樹脂等の柔軟性材料で帯状に形成したもので、円弧状に湾曲させることによって、スクリーンフレーム７の外周部に沿って配設されている。このシールプレート２１には、長手方向に一定間隔で幅方向のスリット２１ａを入れて、複数のシールプレート片２９1 〜２９n が形成されており、各シールプレート片２９1 〜２９n が容易に折り曲がることができるように形成されている。シールプレート片２９1 〜２９n の反対側の側縁部には、ボルト２２を通すための取付穴２１ｂが設けられている。
【００１６】
水路１の側壁１ａに相当する上記コンクリート側壁２にボルト２４で取付けられた内側ガイドプレート２５と、外側ガイドプレート２６は、上記シールプレート２１を間に介在するように上記スクリーンフレーム７の外周部両側面７ａに対向する位置に配設されており、内側ガイドプレート２５と外側ガイドプレート２６は、半径方向に互いに一定間隔で回転式除滓機のメインシャフト４と同方向に突設されている。すなわち、内側ガイドプレート２５と、外側ガイドプレート２６は、スクリーンフレーム７の外周部両側面７ａに対向するコンクリート側壁２の部分に円弧状に設けられており、水中に位置する部分でのシールを行っている。
【００１７】
次に、本発明の回転式除滓機におけるシール装置の作用を説明する。
左右のコンクリート側壁２の穴２ａから流入する水は、回転式除滓機の環状の回転体Ｘを構成する複数のスクリーンフレーム７の内側に導入される。そして、スクリーンフレーム７の内側に導入された水は、スクリーンフレーム７の外周部に取付けられたスクリーンメッシュ６を通過する際に滓を捕獲されて、下流の循環水ポンプ側へ流れる。
一方、回転式除滓機の外周部の両端から流出する水は、コンクリート側壁２とスクリーンフレーム７の間から流出し下流へ流れる。
このとき、スクリーンフレーム７の外周部両側面７ａと水路１の側壁１ａの間には、シールプレート２１と、シールプレート２１の両側を挟むように設けられた内側ガイドプレート２５および外側ガイドプレート２６からなるシール装置１０が設けられているので、シールプレート２１が水流によって、たわんで曲がり、滓の流出を阻止する。
【００１８】
図４は、水の流れがない状態でのシール装置を表わしたもので、内側ガイドプレート２５および外側ガイドプレート２６とに、挟み込まれているシールプレート２１は、内側ガイドプレート２５および外側ガイドプレート２６との間で、半径方向に一定の間隙を保持している。
【００１９】
図５は、水の流れがある状態でのシール装置を表わしたもので、大部分の水はスクリーンメッシュ６を通過する際に滓が捕獲される。又、スクリーンフレーム７の両側面７ａとコンクリート側壁２ａとの間から流出する水は、内側ガイドプレート２５および外側ガイドプレート２６にはさみ込まれたシールプレート２１との隙間から流出する。このとき、シールプレート２１は水流の圧力によって、外側ガイドプレート２６の内側の面に接触して滓の流出を阻止する。
【００２０】
このように、本発明の実施の形態によると、寸法Ｓを厳格、かつ均一にすることなく、スクリーンフレーム７にシールプレート２１が取付けられる。又側壁２側の内側ガイドプレート２５、外側ガイドプレート２６も、シールプレート２１の位置に合わせて、出入れ調整をすることなく、直径方向の調整のみを行い、シールプレート２１をはさみ込む様にコンクリート側壁２に取付けることができる。
内側ガイドプレート２５および外側ガイドプレート２６で、シールプレート１４をはさみ込む様な構造のため、シールプレート２１と、内側ガイドプレート２５および外側ガイドプレート２６との間から、水と共に流れでる滓の流出を抑制出来る。
【００２１】
この隙間から流出する水は、水流圧により柔軟性を持つシールプレート２１を外側ガイドプレート２６側に折り曲げて、外側ガイドプレート２６内側面に接触させ、水の流出量を抑制すると共に滓の流出も抑制する効果がある。
【００２２】
なお、上記実施例では内側ガイドプレート２５および外側ガイドプレート２６を水路１の側壁１ａ側に、シールプレート２１を回転体側に設けたが、その逆でもかまわないことは言うまでもない。
また、内側ガイドプレート２５および外側ガイドプレート２６を回転体側に設ける場合は、回転体の周縁部全周に設け、水路１の側壁１ａ側に設ける場合は、少なくとも水中に位置する範囲に設けることが望ましい。シールプレート２１の場合も、回転体側に設ける場合は、回転体の周縁部全周に設け、水路１の側壁１ａ側に設ける場合は、少なくとも水中に位置する範囲に設けることが望ましい。さらに、内側ガイドプレート２５および外側ガイドプレート２６は、複数のガイドプレートを連続的に配置して形成してもよく、あるいは、必要な長さのものを一体成形しても良い。また、内側ガイドプレート２５および外側ガイドプレート２６は、上記実施の形態のように別体のものを用いても良いが、内側ガイドプレート２５および外側ガイドプレート２６を互いに一定間隔で一体成形することも可能である。等、その他、本発明の要旨を変更しない範囲内で適宜変更して実施し得ることは言うまでもない。
【００２３】
【発明の効果】
以上述べたように、本発明による回転式除滓機におけるシール装置によれば、以下のような効果を奏する。
請求項１において、外周面に捕獲膜を設けた回転体を水路内に配設し、この回転体の内側に流入する水を捕獲膜を通過させて、水中に浮遊する滓を捕獲する回転式除滓機における上記回転体の外周部の両側と水路側壁の間から流出する滓を抑制するシール装置において、前記回転体の外周部両側面と水路側壁側との対向部分のいずれか一方に、上記回転体の回転軸と同方向であって、かつ半径方向に互いに間隙を有するように突設された内側、および外側ガイドプレートを設け、これら内側、および外側ガイドプレート相互間に突出する柔軟性を有するシールプレートを前記回転体の外周部両側面と水路側壁側との対向部分のいずれか他方に設け、水流による上記シールプレートのたわみ変形によって内側、および外側ガイドプレートとの隙間を変え、滓流出を抑制するようにしたので、シールプレートと内側ガイドプレート、外側ガイドプレートとの間から、水と共に流れでる滓の流出を抑制出来る。また、水流圧によるたわみ変形により柔軟性を持つシールプレートを外側ガイドプレート側に折り曲げ、近づけては接触させ、水の流出量を抑制すると共に滓の流出も抑制する効果がある。よって、摺動部分がないので、シールプレートの摩耗を防止し得る。さらに、シールプレートと、内側ガイドプレートおよび外側ガイドプレートとの間の位置調整が容易なので、寸法精度、取付精度が要求されず、作業能率の向上を図ることができる。
【図面の簡単な説明】
【図１】本発明の回転式除滓機におけるシール装置の実施の形態を示す概念断面図である。
【図２】図１の部分拡大断面図である。
【図３】本発明のシール装置のシールプレートを示し、（ａ）は図３（ｂ）の平面図、（ｂ）は正面図である。
【図４】水の流れがない状態のシール装置を示す部分拡大断面図である。
【図５】水の流れがある状態のシール装置を示す部分拡大断面図である。
【図６】回転式除滓機を示す側面図である。
【図７】回転式除滓機を示す正面図である。
【図８】回転式除滓機を示す平面図である。
【図９】従来のシール装置を示す断面図である。
【図１０】従来のシール装置を示す断面図である。
【符号の説明】
１    水路
２    コンクリート基礎
３    軸受
４    メインシャフト
５    スポーク
６    スクリーンメッシュ（捕獲膜）
７    スクリーンフレーム
８    ラック歯車
９    駆動装置
１０  シール装置
１１  洗浄装置
２１  シールプレート
２３  押え板
２５  内側ガイドプレート
２６  外側ガイドプレート
Ｘ    回転体
【図１】
0003801327.tif 000002
【図２】
0003801327.tif 000003
【図３】
0003801327.tif 000004
【図４】
0003801327.tif 000005
【図５】
0003801327.tif 000006
【図６】
0003801327.tif 000007
【図７】
0003801327.tif 000008
【図８】
0003801327.tif 000009
【図９】
0003801327.tif 000010
【図１０】
0003801327.tif 000011